【事件の表示】
　特願２００６−５２６１５４「画像センサ」拒絶査定不服審判事件〔平成１７年　３月１７日国際公開、ＷＯ２００５／０２４９４８、平成１９年　３月　１日国内公表、特表２００７−５０４７７０〕について、次のとおり審決する。
【結　論】
　本件審判の請求は、成り立たない。
【理　由】
１．手続の経緯
　本件出願の手続の経緯は概要次のとおりである。
　
　特許出願（国際出願）　　：平成１６年　９月　１日（優先権主張平成　　　　　　　　　　　　　　　１５年９月３日、米国）
　手続補正　　　　　　　　：平成１９年　８月２８日
　拒絶理由通知　　　　　　：平成２１年１０月２１日（起案日）
　意見書　　　　　　　　　：平成２２年　２月１５日
　手続補正　　　　　　　　：平成２２年　２月１５日
　拒絶査定　　　　　　　　：平成２２年１２月２２日（起案日）
　拒絶査定不服審判請求　　：平成２３年　４月２７日
　手続補正　　　　　　　　：平成２３年　４月２７日
　前置審査報告　　　　　　：平成２３年　６月　８日（起案日）
　審尋　　　　　　　　　　：平成２４年　１月１２日（起案日）
　回答書　　　　　　　　　：平成２４年　４月１３日
　
２．平成２３年４月２７日付け手続補正についての補正却下の決定　
［補正却下の決定の結論］　
　平成２３年４月２７日付けの手続補正を却下する。　
　
［理由］　
（１）本件補正　
　平成２３年４月２７日付けの手続補正（以下「本件補正」という）は、特許請求の範囲の請求項１についての補正を含み、当該補正は、下記補正前の請求項１を下記補正後の請求項１に補正するものである。（補正部分をアンダーラインで示す。）
　
［補正前の請求項１］
　複数の画素と、
　複数のカラーフィルタ核を形成し少なくとも前記複数の画素の一部にわたるカラーフィルタパターンであって、
　前記複数のカラーフィルタ核のそれぞれが、
　前記複数のカラーフィルタ核が同一のカラーパターンを有することとなるよう、前記カラーフィルタパターンの各カラーのうち少なくとも１カラーを所定の配列位置に有し、
　前記複数のカラーフィルタ核が、
　均一に分散した少なくとも２つの異なる組が形成されるよう配列され、当該組が前記カラーフィルタパターンと関連付けられている、
　カラーフィルタパターンと、
　各組の集積時間を制御する手段と、
　を備えた画像センサであって、
　均一に分散した一方の組における総ての画素は同一の第１の集積時間を有し、均一に分散した他方の組における総ての画素は、前記第１の集積時間とは異なる同一の第２の集積時間を有することを特徴とする画像センサ。
　
［補正後の請求項１］
　複数の画素と、
　複数のカラーフィルタ核を形成し少なくとも前記複数の画素の一部にわたるカラーフィルタパターンであって、
　前記複数のカラーフィルタ核のそれぞれが、
　前記複数のカラーフィルタ核が同一のカラーパターンを有することとなるよう、前記カラーフィルタパターンの各カラーのうち少なくとも１カラーを所定の配列位置に有し、
　前記複数のカラーフィルタ核が、
　均一に分散した少なくとも２つの異なる組が形成されるよう配列され、当該組が前記カラーフィルタパターンと関連付けられている、
　カラーフィルタパターンと、
　各組の集積時間を制御する手段と、
　を備えた画像センサであって、
　均一に分散した一方の組における総ての画素は同一の第１の集積時間を有し、均一に分散した他方の組における総ての画素は、前記第１の集積時間とは異なる同一の第２の集積時間を有
し
　
前記複数のカラーフィルタ核は、行および列をなすよう配列され、
　
各カラーフィルタ核は、隣接する画素による２×２配列を含み、
　
前記一方の組は、行方向および列方向に１つおきに配列され、隣接するカラーフィルター核が斜向かいに位置するよう配列されたカラーフィルタ核の組であり、
　
前記他方の組は、前記一方の組に含まれるカラーフィルタ核の間に配列されたカラーフィルタ核の組である、
　ことを特徴とする画像センサ。
　
（２）補正の適法性　
ア．補正の目的　
　上記請求項１についての補正は、補正前の請求項１に記載された事項である「カラーフィルタ核」に限定を加えるものであって、かつ補正の前後において発明の産業上の利用分野及び解決しようとする課題は同一であるから、同補正は、平成１８年法律第５５号改正附則第３条第１項によりなお従前の例によるとされる同法による改正前の特許法第１７条の２第４項第２号で規定する特許請求の範囲の減縮を目的とする補正に該当する。
　
イ．独立特許要件　
　そこで、上記補正後の請求項１に係る発明（以下「補正後発明」という）が特許法第１７条の２第５項において準用する同法第１２６条第５項で規定する独立特許要件を満たすか否かについて検討する。
　
（ア）補正後発明　
　補正後発明は、上記補正後の請求項１の記載により特定されるものである。　
　
（イ）刊行物１
ａ．刊行物１の記載
　原査定の拒絶理由に引用された特開２００３−２４４７１０号公報（以下「刊行物１」という）には、名称を「カラー撮像装置」とする発明について、図１〜図６と共に次の記載がある。　
　
「(57)【要約】
【課題】　ダイナミックレンジを拡張することができるとともに、良好な画質を有するカラー画像を得る。」
　
「【０００１】
【発明の属する技術分野】本発明は、マトリクス状に配列された複数の受光素子及びその前面に所定の色配列を有する色フィルタを備えてなる受光部と、所定の露光時間において前記受光部を露光することにより被写体のカラー画像を生成する制御部とを備えたカラー撮像装置に関するものである。」
　
「【０００４】また、特開平７−７９３７２号公報に開示される電子カメラ装置では、奇数フィールドと偶数フィールドとで露光時間を異ならせることにより、奇数フィールドの画像信号を高感度にするとともに、偶数フィールドの画像信号を低感度にし、奇数フィールドの画像信号に白とびが発生した場合、当該奇数フィールドに隣接する偶数フィールドの画像信号を用いて白とびが発生した画像信号を補間している。これにより、ダイナミックレンジを見かけ上拡張して白とびを補正した画像を得るようにしている。」
　
「【００１２】本発明は上記課題に鑑みてなされたもので、ダイナミックレンジを拡張することができるとともに、良好な画質を有するカラー画像を得ることができる撮像装置を提供することを目的とする。
【００１３】
【課題を解決するための手段】請求項１に記載の撮像装置は、マトリクス状に配列された複数の受光素子及びその前面に所定の色配列を有する色フィルタを備えてなる受光部と、所定の露光時間において前記受光部を露光することにより被写体のカラー画像を生成する制御部とを備えたカラー撮像装置であって、前記制御部は、第１の露光時間と前記第１の露光時間を分割した第２及び第３の露光時間とを設定する露光時間設定手段と、前記受光素子の内、連続する複数ライン分の受光素子群であって同一複数ライン置きの受光素子群からなる第１の受光部での前記第１の露光時間における各受光素子の蓄積電荷から第１の画像信号を生成し、前記受光素子の内、前記第１の受光部以外の受光素子群からなる第２の受光部での前記第２の露光時間における各受光素子の蓄積電荷から第２の画像信号を生成し、前記第２の受光部での前記第３の露光時間における各受光素子の蓄積電荷から第３の画像信号を生成する画像生成手段と、前記第１、第２及び第３の画像信号を合成して被写体の画像信号を生成する画像合成手段とを備えることを特徴としている。」
　
「【００３４】図１に示すディジタルカメラは、被写体からの光を集光するレンズ１と、複数の受光素子が配列され、被写体からの光をそれぞれの受光素子で光電変換し、変換された電荷を蓄積するＣＣＤ（電荷結合素子）２（画像生成手段に相当する）と、ＣＣＤ２を駆動するＣＣＤ駆動部３と、ＣＣＤ２で撮像された画像信号を一時的に格納するメモリ４と、メモリ４に格納された画像信号に所定の処理を施す画像データ処理部５と、カメラを構成する各部に対して制御信号を出力する全体制御部６と、外部からの操作を受け付ける操作部７１と、液晶表示素子（ＬＣＤ）等から構成され種々の情報を表示する表示部７２と、一時的に画像データを格納するメモリ８と、メモリカードレコーダ等で構成され圧縮された画像データを格納する記録部９とを備える。」
　
「【００３７】色フィルタ１３は、ここではベイヤー（Ｂａｙｅｒ）方式の色配列を有する原色フィルタである。図２は、色フィルタ１３の色配列の説明図である。図２に示すように、まず、高解像度が必要な輝度信号に対する寄与の割合が大きいＧ（緑）色フィルタが市松状に配列され、残りの部分にＲ（赤）及びＢ（青）色フィルタが更に市松状に配列されている。なお、各色フィルタは、ＣＣＤ２の受光素子ＰＥi,jに対応する位置に配列されている（もしくは、ＣＣＤ２の受光素子ＰＥi,jと一体に構成されている）。
【００３８】ここで、ＣＣＤ２について詳細に説明する。図３は、ＣＣＤ２の構成を示すブロック図である。ＣＣＤ２は、受光素子ＰＥi,j、垂直転送部２１１〜２１Ｎ（信号読出し手段の一部に相当する）、水平転送部２２（信号読出し手段の一部に相当する）及び出力部２３（信号読出し手段の一部に相当する）を備えている。
【００３９】受光素子ＰＥi,jは、連続する２ライン（２行）分の受光素子群であって２ライン（２行）置きの受光素子群ＰＥi,j（ｉ＝４の倍数＋（１または２）、ｊ＝１〜Ｎ）からなる第１の受光部ＰＥＡと、第１の受光部ＰＥＡ以外の受光素子群ＰＥi,j（ｉ＝４の倍数＋（３または０）、ｊ＝１〜Ｎ）からなる第２の受光部ＰＥＢとから構成されている。」
　
「【００６５】次に、上記のように構成されたディジタルカメラの動作について説明する。図６は、図１に示すディジタルカメラのＣＣＤ２及びタイミングジェネレータ３１の動作を説明するためのタイミングチャートである。　なお、図６に示す制御パルスＳＵＢ、シフトパルスＳＧ１，ＳＧ２は、タイミングジェネレータ３１からＣＣＤ２へ制御信号ＳＣ１として出力される信号である。
【００６６】まず、外部からレリーズボタン（図示省略）が押下されるレリーズ操作が行なわれると、メカニカルシャッタ１２が設定された絞り値に応じた開度で開状態とされる。図６では、メカニカルシャッタ１２を開閉させる信号をメカニカルシャッタ信号ＭＳとして図示しており、メカニカルシャッタ信号ＭＳがローレベルの間、メカニカルシャッタ１２が閉状態であることを示し、ハイレベルの間、メカニカルシャッタ１２が開状態であることを示している。
【００６７】上記の状態において、タイミングジェネレータ３１は、設定された露光時間を正確に制御するため、時刻ｔaにおいて制御パルスＳＵＢを発生させる。発生された制御パルスＳＵＢに応答して、ＣＣＤ２の第１の受光部ＰＥＡ及び第２の受光部ＰＥＢ、すなわち、全受光素子ＰＥi,jに蓄積されている残留電荷が吐き出される（初期化される）。制御パルスＳＵＢと同期してメカニカルシャッタ信号ＭＳがローレベルからハイレバルに変更される。従って、時刻ｔaを露光時間Ｔ１，Ｔ２の始点として、第１の受光部ＰＥＡ及び第２の受光部ＰＥＢの露光が開始され、第１の受光部ＰＥＡを構成する各受光素子ＰＥi,j（ｉ＝４の倍数＋（１または２）、ｊ＝１〜Ｎ）に蓄積されている信号電荷ＡＣ及び第２の受光部ＰＥＢを構成する各受光素子ＰＥi,j（ｉ＝４の倍数＋（３または０）、ｊ＝１〜Ｎ）に蓄積されている信号電荷ＢＣの量が時間とともに増加される（電荷が蓄積される）。
【００６８】次に、タイミングジェネレータ３１は、露光時間Ｔ２が経過した時刻ｔbにおいてシフトパルスＳＧ１を発生させる。発生されたシフトパルスＳＧ１に応答して、ＣＣＤ２の第２の受光部ＰＥＢを構成する各受光素子ＰＥi,jの信号電荷が垂直転送部２１１〜２１Ｎへ転送されるとともに、２ラインずつ垂直転送部２１１〜２１Ｎから水平転送部２２へ転送され、第２の受光部ＰＥＢの第１の画像信号ＢＦＤ（Ｂフィールドの画像信号）が読み出される。その結果、出力部２３から出力される画像信号ＲＤとして、第２の受光部ＰＥＢの第１の画像信号ＢＦＤが出力される。同時にこの第２の受光部ＰＥＢに対して時刻ｔbからの新たな露光が開始される。
【００６９】次に、露光時間Ｔ３が経過した時刻ｔcにおいて、メカニカルシャッタ信号ＭＳがハイレベル（開状態）からローレベル（閉状態）に変化して、メカニカルシャッタ１２が閉状態になると、第１及び第２の各受光部の露光が終了し、第２の受光部ＰＥＢの各受光素子ＰＥi,jの信号電荷は、露光時間Ｔ３において蓄積された信号電荷となり、第１の受光部ＰＥＡの各受光素子ＰＥi,jの信号電荷は、露光時間Ｔ１において蓄積された信号電荷となる。
【００７０】そして、タイミングジェネレータ３１は、第２の受光部ＰＥＢの第１の画像信号ＢＦＤの読み出しが終了した時刻ｔdにおいてシフトパルスＳＧ１を発生させる。発生されたシフトパルスＳＧ１に応答して、ＣＣＤ２の第２の受光部ＰＥＢの各受光素子ＰＥi,jの信号電荷ＢＣが垂直転送部２１１〜２１Ｎへ転送されるとともに、２ラインずつ垂直転送部２１１〜２１Ｎから水平転送部２２へ転送され、第２の受光部ＰＥＢの第２の画像信号ＣＦＤ（Ｃフィールドの画像信号）が読み出される。その結果、出力部２３から出力される画像信号ＲＤとして、第２の受光部ＰＥＢの第２の画像信号ＣＦＤが出力される。
【００７１】次いで、タイミングジェネレータ３１は、第２の受光部ＰＥＢの第２の画像信号ＣＦＤの読み出しが終了した時刻ｔeにおいてシフトパルスＳＧ２を発生させる。発生されたシフトパルスＳＧ２に応答して、ＣＣＤ２の第１の受光部ＰＥＡの各受光素子ＰＥi,jの信号電荷ＡＣが垂直転送部２１１〜２１Ｎへ転送されるとともに、２ラインずつ垂直転送部２１１〜２１Ｎから水平転送部２２へ転送され、第１の受光部ＰＥＡの画像信号ＡＦＤ（Ａフィールドの画像信号）が読み出される。その結果、出力部２３から出力される画像信号ＲＤとして、第１の受光部ＰＥＡの画像信号ＡＦＤが出力される。
【００７２】本実施形態では、露光時間Ｔ２は適正露光時間の０．５倍に、露光時間Ｔ３は適正露光時間の１．０倍に予め設定されているものとする（その結果、後述するように露光時間Ｔ１は適正露光時間の約１．５倍に設定されることになる）。そのため、露光時間Ｔ２において形成された第２の受光部ＰＥＢの第１の画像信号ＢＦＤを、露光時間Ｔ１において形成された第１の受光部ＰＥＡの画像信号ＡＦＤより約３倍飽和しにくくすることができる。
【００７３】また、露光時間Ｔ２，Ｔ３は、露光時間Ｔ１を分割して作成したものであり、シフトパルスＳＧ１のパルス幅が充分に短く、このパルス幅を無視すると、Ｔ１＝Ｔ２+Ｔ３となり、第１の受光部ＰＥＡの露光時間Ｔ１と第２の受光部ＰＥＢの露光時間Ｔ２，Ｔ３とが時間的に重なっていることになる。従って、第２の受光部ＰＥＢの第１及び第２の画像信号ＢＦＤ，ＣＦＤと、第１の受光部ＰＥＡの画像信号ＰＥＡとが、ほぼ同時に撮影された画像信号となり、第２の受光部ＰＥＢの第１及び第２の画像信号ＢＦＤ，ＣＦＤを、第１の受光部ＰＥＡの画像信号ＰＥＡに対してブレのない画像信号にすることができる。」
　
「【００７７】上記のようにして読み出された第２の受光部ＰＥＢの第１及び第２の画像信号ＢＦＤ，ＣＦＤ並びに第１の受光部ＰＥＡの画像信号ＡＦＤは、信号処理部３２により相関二重サンプリング処理された後に、例えば、１０ビットのディジタルデータに変換され、第２の受光部ＰＥＢの第１及び第２の画像データＢＦＤ，ＣＦＤ並びに第１の受光部ＰＥＡの画像データＡＦＤとして出力される。
【００７８】次に、１０ビットの第１の受光部ＰＥＡの画像データＡＦＤは、メモリ４のＡフィールドメモリ４１に格納され、１０ビットの第２の受光部ＰＥＢの第１の画像データＢＦＤはＢフィールドメモリ４２に格納され、１０ビットの第２の受光部ＰＥＢの第２の画像データＣＦＤはＣフィールドメモリ４２に格納される。
【００７９】そして、画像データ補間部５１によって、Ａフィールドメモリ４１、Ｂフィールドメモリ４２及びＣフィールドメモリ４３からそれぞれ画像データＡＦＤ，ＢＦＤ及びＣＦＤが読み出され、それぞれ補間処理が施されて全画面に対応する３つの画像データが生成される。そして、画像データ合成部５２によって、生成された３つの画像データに合成処理が施され、１つの画像データが生成される。」
　
「【００９３】（Ｃ）本実施形態においては、Ａ，Ｂ，Ｃフィールドの画像信号をそれぞれ補間して得られる３枚の全面画像データを合成する場合について説明したが、Ａ，Ｂフィールドの画像信号をそれぞれ補間して得られる２枚の全面画像データを合成する形態でもよい。この場合には、合成された画像信号のダイナミックレンジを広くするために、露光時間Ｔ１を適正露光時間の１．５〜２．５倍とし、露光時間Ｔ２を適正露光時間の約０．５倍とすることが好ましい。露光時間Ｔ１及びＴ２が、適正露光時間を中心として適度に異なる露光時間となるからである。」
　
「【図２】
」
「【図３】
」
「【図６】
」
　
ｂ．刊行物１記載の発明
　上記記載について検討する。
　
　第一に、上記段落【０００１】の記載からみて、刊行物１記載の発明は「カラー撮像装置」である。
　第二に、上記段落【００１２】の記載からみて、刊行物１記載の発明は「ダイナミックレンジを拡張する」ことを目的とするものである。
　第三に、上記段落【００１３】の「マトリクス状に配列された複数の受光素子及びその前面に所定の色配列を有する色フィルタを備えてなる受光部」との記載、および、上記段落【００３４】の「複数の受光素子が配列され、被写体からの光をそれぞれの受光素子で光電変換し、変換された電荷を蓄積するＣＣＤ（電荷結合素子）２（画像生成手段に相当する）と」との記載からみて、刊行物１記載の発明の「ＣＣＤ」は「マトリクス状に配列された複数の受光素子」を有している。
　第三に、上記段落【００１３】の「マトリクス状に配列された複数の受光素子及びその前面に所定の色配列を有する色フィルタを備えてなる受光部」との記載、および、段落【００３７】の「色フィルタ１３は、ここではベイヤー（Ｂａｙｅｒ）方式の色配列を有する原色フィルタである。図２は、色フィルタ１３の色配列の説明図である。図２に示すように、まず、高解像度が必要な輝度信号に対する寄与の割合が大きいＧ（緑）色フィルタが市松状に配列され、残りの部分にＲ（赤）及びＢ（青）色フィルタが更に市松状に配列されている。なお、各色フィルタは、ＣＣＤ２の受光素子ＰＥi,jに対応する位置に配列されている（もしくは、ＣＣＤ２の受光素子ＰＥi,jと一体に構成されている）。」との記載からみて、刊行物１記載の発明の「ＣＣＤ」は「マトリクス状に配列された複数の受光素子の前面に受光素子と一体に構成されベイヤー（Ｂａｙｅｒ）方式の色配列を有する色フィルタ１３」を有している。
　第四に、上記段落【００３７】の「色フィルタ１３は、ここではベイヤー（Ｂａｙｅｒ）方式の色配列を有する原色フィルタである。図２は、色フィルタ１３の色配列の説明図である。図２に示すように、まず、高解像度が必要な輝度信号に対する寄与の割合が大きいＧ（緑）色フィルタが市松状に配列され、残りの部分にＲ（赤）及びＢ（青）色フィルタが更に市松状に配列されている。」、および、上記【図２】の記載からみて、刊行物１記載の発明の「色フィルタ１３」は、「高解像度が必要な輝度信号に対する寄与の割合が大きいＧ（緑）色フィルタが市松状に配列され、残りの部分にＲ（赤）及びＢ（青）色フィルタが更に市松状に配列された
という色フィルタが行方向および列方向に繰り返し配列されたもの」である。
　第五に、上記段落【０００４】の「奇数フィールドと偶数フィールドとで露光時間を異ならせることにより、奇数フィールドの画像信号を高感度にするとともに、偶数フィールドの画像信号を低感度にし」との記載、段落【００１３】の「前記制御部は、第１の露光時間と前記第１の露光時間を分割した第２及び第３の露光時間とを設定する露光時間設定手段と、前記受光素子の内、連続する複数ライン分の受光素子群であって同一複数ライン置きの受光素子群からなる第１の受光部での前記第１の露光時間における各受光素子の蓄積電荷から第１の画像信号を生成し、前記受光素子の内、前記第１の受光部以外の受光素子群からなる第２の受光部での前記第２の露光時間における各受光素子の蓄積電荷から第２の画像信号を生成し、前記第２の受光部での前記第３の露光時間における各受光素子の蓄積電荷から第３の画像信号を生成する画像生成手段」との記載、段落【００３９】の「受光素子ＰＥi,jは、連続する２ライン（２行）分の受光素子群であって２ライン（２行）置きの受光素子群ＰＥi,j（ｉ＝４の倍数＋（１または２）、ｊ＝１〜Ｎ）からなる第１の受光部ＰＥＡと、第１の受光部ＰＥＡ以外の受光素子群ＰＥi,j（ｉ＝４の倍数＋（３または０）、ｊ＝１〜Ｎ）からなる第２の受光部ＰＥＢとから構成されている。」との記載、上記段落【００６６】〜【００７３】の記載(特に段落【００７３】の「露光時間Ｔ２において形成された第２の受光部ＰＥＢの第１の画像信号ＢＦＤを、露光時間Ｔ１において形成された第１の受光部ＰＥＡの画像信号ＡＦＤより約３倍飽和しにくくすることができる。」との記載)、および、上記【図３】の記載から、連続する２ライン（２行）分の受光素子群からなる第１の受光部ＰＥＡ、および、第１の受光部ＰＥＡ以外の受光素子群からなる第２の受光部ＰＥＢは、いずれも、「
という色フィルタが行方向に繰り返し配列されたもの」であることが読み取れることからみて、刊行物１記載の発明は「第１の露光時間Ｔ１と前記第１の露光時間を分割した第２及び第３の露光時間Ｔ２，Ｔ３とを設定する露光時間設定手段」を有し、また、刊行物１記載の発明の「受光素子」は「連続する２ライン（２行）分の受光素子であって、
という色フィルタが行方向に繰り返し配列され、２ライン（２行）置きの受光素子群ＰＥi,j（ｉ＝４の倍数＋（１または２）、ｊ＝１〜Ｎ）からなる第１の受光部ＰＥＡと、第１の受光部ＰＥＡ以外の受光素子群ＰＥi,j（ｉ＝４の倍数＋（３または０）、ｊ＝１〜Ｎ）からなり、
という色フィルタが行方向に繰り返し配列される第２の受光部ＰＥＢとから構成され」ており、「第１の受光部ＰＥＡは露光時間Ｔ１を有することによって高感度とし、第２の受光部ＰＥＢは露光時間Ｔ２を有することによって低感度とした」ものである。
　
　したがって、刊行物１には以下の発明(以下「引用発明１」という。)が記載されている。
　
「マトリクス状に配列された複数の受光素子と、マトリクス状に配列された複数の受光素子の前面に受光素子と一体に構成されベイヤー（Ｂａｙｅｒ）方式の色配列を有する色フィルタ１３からなるＣＣＤを有する、ダイナミックレンジを拡張するカラー撮像装置であって、
　色フィルタ１３は高解像度が必要な輝度信号に対する寄与の割合が大きいＧ（緑）色フィルタが市松状に配列され、残りの部分にＲ（赤）及びＢ（青）色フィルタが更に市松状に配列された
という色フィルタが行方向および列方向に繰り返し配列されたものであり、
　第１の露光時間Ｔ１と前記第１の露光時間を分割した第２及び第３の露光時間Ｔ２，Ｔ３とを設定する露光時間設定手段を有し、
　受光素子は、連続する２ライン（２行）分の受光素子であって、
という色フィルタが行方向に繰り返し配列され、２ライン（２行）置きの受光素子群ＰＥi,j（ｉ＝４の倍数＋（１または２）、ｊ＝１〜Ｎ）からなる第１の受光部ＰＥＡと、第１の受光部ＰＥＡ以外の受光素子群ＰＥi,j（ｉ＝４の倍数＋（３または０）、ｊ＝１〜Ｎ）からなり、
という色フィルタが行方向に繰り返し配列される第２の受光部ＰＥＢとから構成され、第１の受光部ＰＥＡは露光時間Ｔ１を有することによって高感度とし、第２の受光部ＰＥＢは露光時間Ｔ２を有することによって低感度とした、
　カラー撮像装置。」
　
（ウ）対比
　以下、上記補正後発明をその各要件毎に引用発明１と対比する。
　
ａ．「複数の画素」について
　引用発明１は「マトリクス状に配列された複数の受光素子」を有するから、引用発明１と補正後発明は「複数の画素」を有する点で一致している。
　
ｂ．「カラーフィルタパターン」について
　引用発明１は「マトリクス状に配列された複数の受光素子の前面に受光素子と一体に構成されベイヤー（Ｂａｙｅｒ）方式の色配列を有する色フィルタ１３」を有し、引用発明１の「色フィルタ１３」と補正後発明の「カラーフィルタパターン」が対応するから、引用発明１と補正後発明は「少なくとも前記複数の画素の一部にわたるカラーフィルタパターン」を有する点で一致している。
　
ｃ．「複数のカラーフィルタ核」について
　引用発明１の「色フィルタ１３」は「マトリクス状に配列された複数の受光素子の前面に受光素子と一体に構成されベイヤー（Ｂａｙｅｒ）方式の色配列を有し」「高解像度が必要な輝度信号に対する寄与の割合が大きいＧ（緑）色フィルタが市松状に配列され、残りの部分にＲ（赤）及びＢ（青）色フィルタが更に市松状に配列された
という色フィルタが行方向および列方向に繰り返し配列された」ものである。
　ここで、この「
という色フィルタ」は「解像度が必要な輝度信号に対する寄与の割合が大きいＧ（緑）色フィルタ」および「Ｒ（赤）及びＢ（青）色フィルタ」が所定の位置に配置されているということができ、また、繰り返し配列された「
という色フィルタ」は互いに同一のカラーパターンを有しているから、引用発明１の「
という色フィルタ」と補正後発明の「カラーフィルタ核」が対応している。
　したがって、補正後発明と引用発明１は、「カラーフィルタパターン」が「複数のカラーフィルタ核を形成し」ている点、「前記複数のカラーフィルタ核のそれぞれが、前記複数のカラーフィルタ核が同一のカラーパターンを有することとなるよう、前記カラーフィルタパターンの各カラーのうち少なくとも１カラーを所定の配列位置に有し」ている点、および、「前記複数のカラーフィルタ核は、行および列をなすよう配列され、各カラーフィルタ核は、隣接する画素による２×２配列を含」む点で一致している。
　
ｄ．「前記複数のカラーフィルタ核が、均一に分散した少なくとも２つの異なる組が形成されるよう配列され、当該組が前記カラーフィルタパターンと関連付けられている」点について
　引用発明１の「受光素子は、連続する２ライン（２行）分の受光素子であって、
という色フィルタが行方向に繰り返し配列され、２ライン（２行）置きの受光素子群ＰＥi,j（ｉ＝４の倍数＋（１または２）、ｊ＝１〜Ｎ）からなる第１の受光部ＰＥＡと、第１の受光部ＰＥＡ以外の受光素子群ＰＥi,j（ｉ＝４の倍数＋（３または０）、ｊ＝１〜Ｎ）からなり、
という色フィルタが行方向に繰り返し配列される第２の受光部ＰＥＢとから構成され」ているものである。
　ここで、引用発明１では「第１の受光部」「第２の受光部」いずれにおいても「
という色フィルタが行方向に繰り返し配列され」ており、「第１の受光部」「第２の受光部」がこと「連続する２ライン（２行）」毎に交互に存在するから、引用発明１の「
という色フィルタ」は「第１の受光部」に属するものと、「第２の受光部」に属するもので、「均一に分散」されているということができる。
　すなわち、補正後発明と引用発明１は「前記複数のカラーフィルタ核が、均一に分散した少なくとも２つの異なる組が形成されるよう配列され、当該組が前記カラーフィルタパターンと関連付けられている」点で一致している。
　
ｅ．「各組の集積時間を制御する手段」「均一に分散した一方の組における総ての画素は同一の第１の集積時間を有し、均一に分散した他方の組における総ての画素は、前記第１の集積時間とは異なる同一の第２の集積時間を有し」ている点について
　引用発明１は「第１の露光時間Ｔ１と前記第１の露光時間を分割した第２及び第３の露光時間Ｔ２，Ｔ３とを設定する露光時間設定手段を有し」「第１の受光部ＰＥＡは露光時間Ｔ１を有することによって高感度とし、第２の受光部ＰＥＢは露光時間Ｔ２を有することによって低感度とした」ものである。
　ここで、引用発明１の「露光時間」は、補正後発明の「集積時間」に相当するから、引用発明１と補正後発明は「各組の集積時間を制御する手段」を有し、「均一に分散した一方の組における総ての画素は同一の第１の集積時間を有し、均一に分散した他方の組における総ての画素は、前記第１の集積時間とは異なる同一の第２の集積時間を有し」ている点で一致している。
　
ｆ．「前記一方の組は、行方向および列方向に１つおきに配列され、隣接するカラーフィルター核が斜向かいに位置するよう配列されたカラーフィルタ核の組であり、前記他方の組は、前記一方の組に含まれるカラーフィルタ核の間に配列されたカラーフィルタ核の組である」点について
　引用発明１の「受光素子は、連続する２ライン（２行）分の受光素子であって、
という色フィルタが行方向に繰り返し配列され、２ライン（２行）置きの受光素子群ＰＥi,j（ｉ＝４の倍数＋（１または２）、ｊ＝１〜Ｎ）からなる第１の受光部ＰＥＡと、第１の受光部ＰＥＡ以外の受光素子群ＰＥi,j（ｉ＝４の倍数＋（３または０）、ｊ＝１〜Ｎ）からなり、
という色フィルタが行方向に繰り返し配列される第２の受光部ＰＥＢとから構成され」ているものである。ここで、引用発明１の「第１の受光部ＰＥＡ」「第２の受光部ＰＥＢ」と、補正後発明の「前記一方の組」「前記他方の組」が対応するが、引用発明１の「第１の受光部ＰＥＡ」が「連続する２ライン（２行）分の受光素子であって、
という色フィルタが行方向に繰り返し配列され、２ライン（２行）置き」からなり、「第２の受光部ＰＥＢ」が「第１の受光部ＰＥＡ以外の受光素子群ＰＥi,j（ｉ＝４の倍数＋（３または０）、ｊ＝１〜Ｎ）からなり、
という色フィルタが行方向に繰り返し配列される」のに対し、補正後発明では「前記一方の組は、行方向および列方向に１つおきに配列され、隣接するカラーフィルター核が斜向かいに位置するよう配列されたカラーフィルタ核の組であり、前記他方の組は、前記一方の組に含まれるカラーフィルタ核の間に配列されたカラーフィルタ核の組である」点で相違している。
　
（エ）一致点および相違点
　以上の対比結果をまとめると、補正後発明の引用発明１との一致点および相違点は次のとおりである。　
　
［一致点］
　複数の画素と、
　複数のカラーフィルタ核を形成し少なくとも前記複数の画素の一部にわたるカラーフィルタパターンであって、
　前記複数のカラーフィルタ核のそれぞれが、
　前記複数のカラーフィルタ核が同一のカラーパターンを有することとなるよう、前記カラーフィルタパターンの各カラーのうち少なくとも１カラーを所定の配列位置に有し、
　前記複数のカラーフィルタ核が、
　均一に分散した少なくとも２つの異なる組が形成されるよう配列され、当該組が前記カラーフィルタパターンと関連付けられている、
　カラーフィルタパターンと、
　各組の集積時間を制御する手段と、
　を備えた画像センサであって、
　均一に分散した一方の組における総ての画素は同一の第１の集積時間を有し、均一に分散した他方の組における総ての画素は、前記第１の集積時間とは異なる同一の第２の集積時間を有し、
　前記複数のカラーフィルタ核は、行および列をなすよう配列され、
　各カラーフィルタ核は、隣接する画素による２×２配列を含み、
　ことを特徴とする画像センサ。
　
［相違点］
　補正後発明では「前記一方の組は、行方向および列方向に１つおきに配列され、隣接するカラーフィルター核が斜向かいに位置するよう配列されたカラーフィルタ核の組であり、前記他方の組は、前記一方の組に含まれるカラーフィルタ核の間に配列されたカラーフィルタ核の組である」のに対し、引用発明１の「第１の受光部ＰＥＡ」が「連続する２ライン（２行）分の受光素子であって、
という色フィルタが行方向に繰り返し配列され、２ライン（２行）置き」からなり、「第２の受光部ＰＥＢ」が「第１の受光部ＰＥＡ以外の受光素子群ＰＥi,j（ｉ＝４の倍数＋（３または０）、ｊ＝１〜Ｎ）からなり、
という色フィルタが行方向に繰り返し配列される」点、
　
（オ）判断
　特開２０００−３１６１６３号公報（以下「刊行物２」という）には以下の記載がある。
　
「【０００５】本発明は、上記事情を考慮して成されたもので、その目的とするところは、比較的高い感度が得られて、且つダイナミックレンジを広くできるカラー撮像素子及びこれを用いた撮像装置を提供することにある。
【０００６】
【課題を解決するための手段】（構成）上記課題を解決するために本発明は次のような構成を採用している。
【０００７】即ち本発明は、カラー撮像素子において、撮像面に周期的色コーディング配列を施し、その単位配列（ブロック）毎に異なる感度を有したことを特徴とする。
【０００８】また本発明は、上記構成のカラー撮像素子を用いた撮像装置において、撮像素子の出力に基づいて所定の画像信号を生成する画像信号生成手段と、この画像信号生成手段による信号生成過程において前記高感度なブロックからの信号出力と低感度なブロックからの信号出力を加算する加算手段とを具備してなることを特徴とする。
【０００９】また本発明は、上記構成のカラー撮像素子を用いた撮像装置において、撮像素子の出力に基づいて所定の画像信号を生成する画像信号生成手段と、この画像信号生成手段による信号生成過程において前記高感度なブロックからの信号出力と低感度なブロックからの信号出力との何れかを選択する選択手段とを具備してなることを特徴とする。
【００１０】また本発明は、上記構成のカラー撮像素子を用いた撮像装置において、撮像素子の出力に基づいて所定の画像信号を生成する画像信号生成手段と、前記撮像素子の出力に基づいて所定の自動制御処理を行う自動制御手段と、被写体の輝度を判定する被写体輝度判定手段と、この被写体輝度判定手段の出力に基づいて前記自動制御手段における自動制御処理で使用する信号を、前記高感度なブロックからの信号出力と低感度なブロックからの信号出力とから選択する選択手段とを具備してなることを特徴とする。
【００１１】ここで、本発明の望ましい実施態様としては次のものがあげられる。
(1) 周期的色コーディング配列は、ＲＧＢ原色から構成されるベイヤ配列であり、高感度なブロックと低感度なブロックが互いに辺を共有しない市松状に配置されたこと。
(2) 自動制御手段は、被写体輝度判定手段の出力に基づいて露出及び焦点を調整するものであること。
(3) ４×４のマスから１つの画素信号を生成し、マスを２画素ピッチずつずらして２次元の画素信号を得ること。」
「【００１７】カラー撮像素子における色フィルタの配列は、図２に示すようにＲＧＢのベイヤ配列である。そして、２×２のマス毎に高透過率フィルタを配置した高感度ブロック２１と低透過率フィルタを配置した低感度ブロック２２が、互いに辺を共有しない市松状に配置されている。」
「【図２】
」
　
　したがって、刊行物２には「比較的高い感度が得られて、且つダイナミックレンジを広くできるカラー撮像素子であって、色フィルタの配列としてＲＧＢのベイヤ配列を用い、２×２のマス毎に高透過率フィルタを配置した高感度ブロック２１と低透過率フィルタを配置した低感度ブロック２２、互いに辺を共有しない市松状に配置されたカラー撮像素子」(以下「引用発明２」という。)が記載されている。
　
　そして、引用発明１と引用発明２は、「ダイナミックレンジを拡張する」ことを目的とする「ベイヤ配列」の色フィルタを用いる「カラー撮像素子」である点で共通し、しかも、「ダイナミックレンジを拡張する」ための構成として、高感度を持つ領域(引用発明１の「第１の受光部ＰＥＡ」、引用発明２の「高感度ブロック２１」）と低感度を持つ領域(引用発明１の「第２の受光部ＰＥＢ」、引用発明２の「低感度ブロック２２」)を併用している点で共通していることを考えると、引用発明１の「第１の受光部ＰＥＡ」「第２の受光部ＰＥＢ」の形状・配置として、引用発明２の「高感度ブロック２１」「低感度ブロック２２」のように、２×２のマス毎に互いに辺を共有しない市松状に配置したこと、すなわち、「前記一方の組は、行方向および列方向に１つおきに配列され、隣接するカラーフィルター核が斜向かいに位置するよう配列されたカラーフィルタ核の組であり、前記他方の組は、前記一方の組に含まれるカラーフィルタ核の間に配列されたカラーフィルタ核の組である」ような形状・配置としたことは、当業者が容易に想到し得たことにすぎない。
　
（オ）まとめ（独立特許要件）
　以上によれば、補正後発明は、引用発明１および引用発明２に基づいて当業者が容易に発明をすることができたものであり、したがって特許法第２９条第２項の規定により特許出願の際独立して特許を受けることができないものである。
　
（３）むすび（補正却下の決定）
　以上のとおりであるから、本件補正は、平成１８年法律第５５号改正附則第３条第１項によりなお従前の例によるとされる同法による改正前の特許法第１７条の２第５項において準用する同法第１２６条第５項の規定に違反するので、同法第１５９条第１項の規定において読み替えて準用する同法第５３条第１項の規定により却下すべきものである。　
　よって、補正却下の決定の結論のとおり決定する。
　
３．原査定の当否
（１）本願発明　
　平成２３年４月２７日付けの手続補正は上記のとおり却下したので、本件出願に係る発明は、平成２２年２月１５日付け手続補正書で補正された特許請求の範囲の請求項１から請求項３までの各請求項に係る発明であるところ、請求項１に係る発明（以下、これを「本願発明」ともいう）は、当該請求項１〔前記２．（１）に記載した補正前の請求項１〕の次の記載により特定されるものである。　
　
【請求項１】
　複数の画素と、
　複数のカラーフィルタ核を形成し少なくとも前記複数の画素の一部にわたるカラーフィルタパターンであって、
　前記複数のカラーフィルタ核のそれぞれが、
　前記複数のカラーフィルタ核が同一のカラーパターンを有することとなるよう、前記カラーフィルタパターンの各カラーのうち少なくとも１カラーを所定の配列位置に有し、
　前記複数のカラーフィルタ核が、
　均一に分散した少なくとも２つの異なる組が形成されるよう配列され、当該組が前記カラーフィルタパターンと関連付けられている、
　カラーフィルタパターンと、
　各組の集積時間を制御する手段と、
　を備えた画像センサであって、
　均一に分散した一方の組における総ての画素は同一の第１の集積時間を有し、均一に分散した他方の組における総ての画素は、前記第１の集積時間とは異なる同一の第２の集積時間を有することを特徴とする画像センサ。
　
（２）原査定の理由
　本願発明に対する原査定の理由は概要次のとおりである。
　
［理由１］
　本願発明は、その出願前に日本国内で頒布された特開２００３−２４４７１０号公報に記載された発明であるから、特許法第２９条第１項第３号の規定により特許を受けることができない。
　
［理由２］
　本願発明は、上記特開２００３−２４４７１０号公報に記載された発明に基づいて当業者が容易に発明をすることができたものであるから、特許法第２９条第２項の規定により特許を受けることができない。
　
（３）刊行物１の記載および刊行物１記載の発明　
　原査定の理由に引用された上記特開２００３−２４４７１０号公報（前記の「刊行物１」に同じ、以下「刊行物１」という）には、前記２．（２）イ．（イ）の「ａ．刊行物１の記載」に示したとおりの事項が記載されており、また、この刊行物１に記載された発明(以下「引用発明１」という。)は前記２．（２）イ．（イ）の「ｂ．刊行物１記載の発明」に示したとおりである。
　
（４）対比、判断
　本願発明は、前記補正後発明〔前記記２．（２）イ．の「（ア）補正後発明」参照〕との対応でみると、当該補正後発明における
　
「前記複数のカラーフィルタ核は、行および列をなすよう配列され、
　各カラーフィルタ核は、隣接する画素による２×２配列を含み、
　前記一方の組は、行方向および列方向に１つおきに配列され、隣接するカラーフィルター核が斜向かいに位置するよう配列されたカラーフィルタ核の組であり、
　前記他方の組は、前記一方の組に含まれるカラーフィルタ核の間に配列されたカラーフィルタ核の組である、」
　
　との特定事項が省かれているだけで、それ以外は上記補正後発明と同じである。〔前記２．（１）参照〕
　
　ここで、上記補正後発明から省かれた特定事項は、前記２．（２）イ．の「（ウ）刊行物１との対比」で認定した上記刊行物１記載の発明に対する上記補正後発明の唯一の相違点となる事項に「前記複数のカラーフィルタ核は、行および列をなすよう配列され、各カラーフィルタ核は、隣接する画素による２×２配列を含み」という点を加えたものである。
　
　よって、本願発明と引用発明１との間に相違点はなく、本願発明は刊行物１に記載された発明であるから、上記原査定の理由の［理由１］のとおり、特許法第２９条第１項第３号の規定により特許を受けることができない。
　
４．むすび　
　以上のとおり、本件出願の請求項１に係る発明は、特許法第２９条第１項第３号の規定により特許を受けることができない。　
　それ故、本願の請求項２および請求項３に係る各発明について検討するまでもなく、本願は拒絶されるべきものである。　
　
　よって、結論のとおり審決する。